(57)【要約】【課題】二重瞼形成用テープの一群が台紙上に剥離可能な状態で担持される二重瞼形成用具において、台紙を湾曲させなくても二重瞼形成用テープの摘み片を容易に摘み上げて、これを台紙から剥離することができるようにする。【解決手段】二重瞼形成用テープ１は、帯状に形成されて瞼に貼り付けられる粘着性のテープ片１０と、テープ片１０より短い帯状に形成されてテープ片１０の長手方向の端部に設けられる非粘着性の摘み片１２とを含む。摘み片１２は、テープ片１０の粘着層１６に接着固定される被接着面２１と、被接着面２１の裏側であって台紙２に対向する対向面２２とを有しており、摘み片１２の対向面２２に微小突起１８が形成されている。【選択図】図１
0003228128.tif 000002
【実用新案登録請求の範囲】
【請求項１】
複数本の二重瞼形成用テープ（１）と、二重瞼形成用テープ（１）の一群が剥離可能な状態で担持される台紙（２）とを備えており、
二重瞼形成用テープ（１）は、帯状に形成されて瞼に貼り付けられる粘着性のテープ片（１０）と、テープ片（１０）より短い帯状に形成されてテープ片（１０）の長手方向の端部に設けられる非粘着性の摘み片（１２）とを含み、
摘み片（１２）は、テープ片（１０）の粘着層（１６）に接着固定される被接着面（２１）と、被接着面（２１）の裏側であって台紙（２）に対向する対向面（２２）とを有しており、
摘み片（１２）の対向面（２２）に微小突起（１８）が形成されていることを特徴とする二重瞼形成用具。
【請求項２】
摘み片（１２）が合成樹脂フィルムからなり、摘み片（１２）の微小突起（１８）がエンボス加工により形成されている請求項１に記載の二重瞼形成用具。
【請求項３】
台紙（２）が、二重瞼形成用テープ（１）の一群を担持する第１シート（５）と、第１シート（５）の一辺から折れ線（４）を介して連設された第２シート（６）とで二つ折り可能に構成されており、
台紙（２）を二つ折り姿勢に保持するために、第１シート（５）と第２シート（６）の一方に係止部（７）が設けられ、他方に係止部（７）に対して係脱自在の係合部（８）が設けられている請求項１または２に記載の二重瞼形成用具。
【請求項４】
第１シート（５）と第２シート（６）の連設方向において、第１シート（５）が第２シート（６）よりも長く形成されており、
第１シート（５）の折れ線（４）と対向する辺の近傍に、折れ線（４）に向かって突出する切り込みからなる係止部（７）が設けられており、
第２シート（６）の折れ線（４）と対向する辺部分が、係止部（７）に対して抜き差し自在の係合部（８）を構成する請求項３に記載の二重瞼形成用具。
【考案の詳細な説明】
【技術分野】
【０００１】
本考案は、二重瞼形成用テープの一群が台紙上に剥離可能な状態で担持される二重瞼形成用具に関する。
【背景技術】
【０００２】
この種の二重瞼形成用具は、例えば特許文献１に開示されており公知である。特許文献１では、幅方向に隣接する細長帯状の二重瞼形成用テープ（テープ本体部）の一群が、台紙上に剥離可能な状態で担持されており、各二重瞼形成用テープは、上下両面に粘着層を有するテープ片（テープ層）と、テープ片の上側の粘着層に剥離可能に接着された剥離紙と、テープ片の下側の粘着層の両端部に接着固定された非粘着性の摘み片（持ち手部）とで構成されている。この二重瞼形成用具のユーザーは、二重瞼形成用テープの端部の摘み片を指先で摘むことにより、テープ片の粘着層に触れることなく、台紙から二重瞼形成用テープを剥離することができ、さらに、テープ片を瞼に貼り付けて二重瞼を形成することができる。二重瞼形成用テープが台紙上にあるとき、各摘み片の下面は台紙に対向しており、摘み片と台紙は共にＰＥＴ（ポリエチレンテレフタレート）等の合成樹脂フィルムで形成されている。
【先行技術文献】
【特許文献】
【０００３】
【特許文献１】特開２０１６−４３１４８号公報
【考案の概要】
【考案が解決しようとする課題】
【０００４】
一般に、摘み片と台紙を構成する合成樹脂フィルムは平滑性が高いため、互いにぴったりと密着しやすい。摘み片と台紙の対向面どうしがぴったりと密着していると、ユーザーが二重瞼形成用テープを使用すべくこれを台紙から剥離する際に、指先を摘み片と台紙の間に差し込むのが難しい。つまり、摘み片を摘み上げるのが難しい。特許文献１に開示されているように台紙を湾曲させると、摘み片が台紙から浮き上がるため、摘み片を摘むことは比較的容易となるが、台紙を湾曲させる力の加減を誤ると、台紙から二重瞼形成用テープの一群が部分的に剥離して粘着層が露出し、その粘着力が損なわれるおそれがある。
【０００５】
本考案は、台紙を湾曲させなくても二重瞼形成用テープの摘み片を容易に摘み上げて、これを台紙から剥離することができる二重瞼形成用具を提供することを目的とする。
【課題を解決するための手段】
【０００６】
本考案に係る二重瞼形成用具は、複数本の二重瞼形成用テープ１と、二重瞼形成用テープ１の一群が剥離可能な状態で担持される台紙２とを備えている。二重瞼形成用テープ１は、帯状に形成されて瞼に貼り付けられる粘着性のテープ片１０と、テープ片１０より短い帯状に形成されてテープ片１０の長手方向の端部に設けられる非粘着性の摘み片１２とを含む。摘み片１２は、テープ片１０の粘着層１６に接着固定される被接着面２１と、被接着面２１の裏側であって台紙２に対向する対向面２２とを有しており、摘み片１２の対向面２２に微小突起１８が形成されていることを特徴とする。
【０００７】
摘み片１２が合成樹脂フィルムからなり、摘み片１２の微小突起１８がエンボス加工により形成されている。
【０００８】
台紙２が、二重瞼形成用テープ１の一群を担持する第１シート５と、第１シート５の一辺から折れ線４を介して連設された第２シート６とで二つ折り可能に構成されている。台紙２を二つ折り姿勢に保持するために、第１シート５と第２シート６の一方に係止部７が設けられ、他方に係止部７に対して係脱自在の係合部８が設けられている。
【０００９】
第１シート５と第２シート６の連設方向において、第１シート５が第２シート６よりも長く形成されている。第１シート５の折れ線４と対向する辺の近傍に、折れ線４に向かって突出する切り込みからなる係止部７が設けられており、第２シート６の折れ線４と対向する辺部分が、係止部７に対して抜き差し自在の係合部８を構成する。
【考案の効果】
【００１０】
本考案に係る二重瞼形成用具を構成する各二重瞼形成用テープ１は、粘着性のテープ片１０と非粘着性の摘み片１２とを含み、摘み片１２の台紙２に対向する対向面２２に微小突起１８が形成されている。これによれば、微小突起１８が台紙２に当接し、微小突起１８を除く摘み片１２の対向面２２が台紙２から浮き離れた状態になるため、ユーザーは指先を摘み片１２と台紙２の間に容易に差し込むことができる。つまりユーザーは、従来（特許文献１）の二重瞼形成用具のように台紙２を湾曲させなくても、摘み片１２を容易に摘み上げて、二重瞼形成用テープ１の全体を台紙２から剥離することができる。さらに微小突起１８は、ユーザーが指先で摘み片１２を摘んだときに滑り止めとして機能し、ユーザーが瞼にテープ片１０を貼り付ける作業性の向上にも寄与し得るものである。
【００１１】
また、従来（特許文献１）の二重瞼形成用具においては、例えば右手で摘み片を摘もうとする場合、左手で台紙を湾曲状態に維持し続ける必要があったが、本考案によればその必要が無くなるため、ユーザーは空いた左手で摘み片１２の摘み上げを補助することができる。すなわち、摘もうとする１個の摘み片１２に隣接する摘み片１２を左手で押さえることができ、これによりユーザーは、１本の二重瞼形成用テープ１の摘み片１２だけを的確に摘み上げて、これを台紙２から剥離することができる。
【００１２】
摘み片１２の微小突起１８をエンボス加工により形成すると、一般的な二重瞼形成用具と比較して製造工程を１つ増やすだけで、材料を増やすことなく微小突起１８を得ることができ、微小突起１８の追加に伴う二重瞼形成用具の製造コストの増加を抑えることができる。
【００１３】
台紙２を、二重瞼形成用テープ１の一群を担持する第１シート５と、第１シート５の一辺から折れ線４を介して連設された第２シート６とで二つ折り可能に構成することができる。これによれば、二重瞼形成用具の不使用時や携帯時などには台紙２を二つ折り姿勢にして、二重瞼形成用テープ１の一群の表面を第２シート６で覆って保護することができ、二重瞼形成用テープ１の汚染や第１シート５からの不用意な脱落などを防止することができる。また、第１シート５と第２シート６の一方に係止部７を設け、他方に係止部７に対して係脱自在の係合部８を設けると、台紙２が二つ折り姿勢から簡単には展開しないようにして、二重瞼形成用テープ１を保護し続けることができる。
【００１４】
第１シート５の折れ線４と対向する辺の近傍に、折れ線４に向かって突出する切り込みからなる係止部７を設けるとともに、第２シート６の折れ線４と対向する辺部分を、係止部７に対して抜き差し自在の係合部８とすることができる。これによれば、各シート５・６に別の部材を取り付けて係止部７と係合部８を設ける場合に比べて、両部７・８の構造を簡素化して二重瞼形成用具の製造コストを削減することができる。
【図面の簡単な説明】
【００１５】
【図１】本考案の実施例に係る二重瞼形成用具の要部の縦断正面図である。
【図２】台紙を展開した状態の二重瞼形成用具の斜視図である。
【図３】台紙を二つ折り姿勢にした二重瞼形成用具の縦断正面図である。
【図４】二重瞼形成用テープの摘み片の摘み上げの様子を示す図である。
【考案を実施するための形態】
【００１６】
（実施例）  本考案に係る二重瞼形成用具の実施例を図１ないし図４に示す。図２において二重瞼形成用具は、数十本の細長帯状の二重瞼形成用テープ１と、二重瞼形成用テープ１の一群が剥離可能な状態で担持される台紙２とを備える。台紙２上において各二重瞼形成用テープ１は、その長手方向に平行に、かつ、幅方向（短手方向）に隣接するように並べて配置されている。本実施例における前後、左右、上下とは、図２に示す交差矢印と、各矢印の近傍に表記した前後、左右、上下の表示に従う。すなわち、二重瞼形成用テープ１の長手方向を左右方向と規定し、二重瞼形成用テープ１の幅方向を前後方向と規定し、二重瞼形成用テープ１の厚み方向を上下方向（二重瞼形成用テープ１が上、展開状態の台紙２が下）と規定する。
【００１７】
台紙２は、前後方向の折れ線４で二つ折り可能な長方形状に形成されており、折れ線４の一方の側（左側）が二重瞼形成用テープ１の一群を担持する第１シート５を構成し、他方の側（右側）が二つ折り姿勢で各二重瞼形成用テープ１の表面を覆う第２シート６を構成する。台紙２の全体は、所定の厚みを有するＰＥＴ（ポリエチレンテレフタレート）等の合成樹脂フィルムで構成されており、少なくとも第１シート５の上面に離形処理が施されている。
【００１８】
第１シート５は第２シート６よりも左右方向（両シート５・６の連設方向）に少しだけ長く形成されており、折れ線４に対向する第１シート５の左辺の近傍には、折れ線４に向かって突出する円弧状の切り込みからなる係止部７が設けられている。また、台紙２の展開状態において折れ線４に対向する第２シート６の右辺部分は、係止部７に対して抜き差し自在の係合部８を構成しており、この係合部８を係止部７に差し込むことにより、台紙２を図３に示す二つ折り姿勢に保持することができる。
【００１９】
台紙２が二つ折り可能であると、二重瞼形成用具の不使用時や携帯時などには台紙２を二つ折り姿勢にして、二重瞼形成用テープ１の一群の表面を第２シート６で覆って保護することができ、二重瞼形成用テープ１の汚染や第１シート５からの不用意な脱落などを防止することができる。また、第１シート５の左辺の近傍に円弧状の切り込みからなる係止部７を設けるとともに、第２シート６の右辺部分を係止部７に対して抜き差し自在の係合部８としていると、係合部８を係止部７に差し込むことで台紙２が二つ折り姿勢から簡単には展開しないようにして、二重瞼形成用テープ１を保護し続けることができ、さらに、各シート５・６に別の部材を取り付けて係止部７と係合部８を設ける場合に比べて、両部７・８の構造を簡素化して二重瞼形成用具の製造コストを削減することができる。
【００２０】
なお、係止部７を構成する切り込みは、円弧状以外に台形状や三角形状などであってもよく、２個以上であってもよい。また、係止部７は切り込みに限られず、例えば第１シート５に折れ線４と平行な紐状体を取り付けて係止部７とし、この紐状体と第１シート５の間に第２シート６を差し込み可能な構成としてもよい。第１シート５と第２シート６の連設方向は左右方向（二重瞼形成用テープ１の長手方向）に限られず、前後方向（二重瞼形成用テープ１の幅方向）であってもよい。第２シート６を省略し、台紙２を第１シート５のみで構成することもできる。二重瞼形成用テープ１の本数を増やしたい場合には、台紙２の二つ折り姿勢における第１シート５と第２シート６の対向面のそれぞれに、二重瞼形成用テープ１を担持させることができる。
【００２１】
図１において二重瞼形成用テープ１は、両面テープからなる伸長可能なテープ片１０と、テープ片１０の上面に剥離可能に接着される剥離紙１１と、テープ片１０の下面の両端部に剥離不能に接着される左右一対の摘み片１２とで構成される。テープ片１０と剥離紙１１は、平面視で同形の細長帯状に形成される。各摘み片１２は、前後寸法がテープ片１０と同一で左右寸法がテープ片１０よりも短い帯状に形成され、その一端部がテープ片１０の左右端よりも外方へ突出している。テープ片１０は全体として無色透明に形成され、剥離紙１１と摘み片１２は同一あるいは互いに異なる色に着色される。なお、各摘み片１２がテープ片１０の外方へ突出することは必須ではなく、テープ片１０と左側の摘み片１２の左端どうしが一致するとともに、テープ片１０と右側の摘み片１２の右端どうしが一致していてもよい。
【００２２】
テープ片１０は、図１の上部に拡大して示すように、ポリエチレン等の合成樹脂からなる基材層１４と、基材層１４の上面に形成される上粘着層１５と、基材層１４の下面に形成される下粘着層（粘着層）１６とで構成されており、下粘着層１６の中央部（摘み片１２が接着された左右両端部を除いた部分）が第１シート５の上面に剥離可能に接着することで、二重瞼形成用テープ１の全体が台紙２に担持されている。各粘着層１５・１６は、アクリル系などの皮膚を害さない医療用の粘着剤で形成されている。剥離紙１１は、上粘着層１５に接する下面に剥離加工（シリコーン樹脂によるコーティングなど）が施された紙で構成されている。
【００２３】
摘み片１２は、ＯＰＰ（２軸延伸ポリプロピレン）フィルムなどの非粘着性の合成樹脂フィルムで構成されて、下粘着層１６を介してテープ片１０に接着固定されている。二重瞼形成用具のユーザーは、非粘着性の摘み片１２を摘むことにより、テープ片１０の粘着層１５・１６に触れることなく、台紙２から二重瞼形成用テープ１を剥離することができる。剥離後は、左右の摘み片１２をそれぞれの手の指先で摘んで互いに離れる方向に引っ張り、瞼の長さに伸ばしたテープ片１０を瞼に貼り付けて、二重瞼を形成することができる。なお、テープ片１０の貼り付けが完了すると、摘み片１２はテープ片１０の左右両端部とともに、鋏などの切断道具でテープ片１０の中央部（瞼に貼り付いた部分）から切除される。
【００２４】
一般に、摘み片１２と台紙２を構成する合成樹脂フィルムは平滑性が高いため、互いにぴったりと密着しやすい。両者１２・２の対向面どうしがぴったりと密着していると、ユーザーが二重瞼形成用テープ１を使用すべくこれを台紙２から剥離する際に、指先を摘み片１２と台紙２の間に差し込むのが難しい。つまり、摘み片１２を摘み上げるのが難しい。そこで本実施例では、摘み片１２にエンボス加工を施して、摘み片１２が台紙２にぴったりと密着しないようにした。詳しくは、テープ片１０に固定する前の摘み片１２にエンボス加工を施して、複数個の微小突起１８を有する突起面と、複数個の微小凹部１９を有する凹部面とを表裏に形成し、該凹部面を被接着面２１としてテープ片１０の下粘着層１６に接着固定し、該突起面を台紙２に対向する対向面２２とした。対向面２２において複数個の微小突起１８は千鳥状に配列されている。
【００２５】
上記のように、摘み片１２の台紙２に対向する対向面２２に複数個の微小突起１８を形成すると、これら微小突起１８が台紙２に当接し、微小突起１８を除く摘み片１２の対向面２２が台紙２から浮き離れた状態になるため、ユーザーは指先を摘み片１２と台紙２の間に容易に差し込むことができる。つまりユーザーは、従来（特許文献１）の二重瞼形成用具のように台紙２を湾曲させなくても、摘み片１２を容易に摘み上げて、二重瞼形成用テープ１の全体を台紙２から剥離することができる（図４参照）。さらに、ユーザーが例えば右手で摘み片１２を摘もうとする場合は、当該摘み片１２に隣接する摘み片１２を左手で押さえることにより、当該摘み片１２だけを的確に摘み上げて、１本の二重瞼形成用テープ１だけを台紙２から剥離することができる。また微小突起１８は、ユーザーが指先で摘み片１２を摘んだときに滑り止めとして機能するため、ユーザーはテープ片１０を引っ張って伸ばす作業を失敗し難くなり、伸ばしたテープ片１０を瞼に貼り付けるまでの一連の作業を的確に行うことができる。
【００２６】
上記の実施例以外に、テープ片１０は上粘着層１５が省略された片面テープであってもよく、この場合の二重瞼形成用テープ１はテープ片１０と一対の摘み片１２のみで構成される。テープ片１０は伸長不能であってもよい。また、テープ片１０の両端部に摘み片１２を設けることは必須ではなく、テープ片１０の一端部のみに摘み片１２が設けられていてもよい。摘み片１２には少なくとも１個の微小突起１８が形成されていればよく、その形状は点状以外に線状などであってもよい。また、微小突起１８を形成する方法はエンボス加工に限られない。
【符号の説明】
【００２７】
１  二重瞼形成用テープ
２  台紙
４  折れ線
５  第１シート
６  第２シート
７  係止部
８  係合部
１０  テープ片
１１  剥離紙
１２  摘み片
１４  基材層
１５  上粘着層
１６  下粘着層
１８  微小突起
２２  対向面
【図１】
0003228128.tif 000003
【図２】
0003228128.tif 000004
【図３】
0003228128.tif 000005
【図４】
0003228128.tif 000006